(57)【要約】      （修正有）【課題】排煙口の開閉扉が排煙口へ流れ込む風量によって、開閉扉が閉じるのを確実に阻止することができるとともに、排煙口へ流れ込む風量によって、開閉扉に振動が生じるのを効率よく阻止して、開閉扉が閉じる不具合を防止することができる排煙口の開閉扉の支持装置を提供する。【解決手段】排煙ダクトの排煙口４の開口部に取付けられた、該開口部を開閉する開閉扉３を常時開放する方向に付勢する付勢スプリング１４と、前記開閉扉を閉じた状態に保持し、排煙口開放装置の作動で開放させることができる開閉扉保持装置１８と、前記開閉扉の開放状態を前記排煙口より排煙ダクト内へ流入する風量に耐えられるように保持する磁石２０、ラッチ、支点を結ぶ線より外側に中央枢支部を位置させることにより閉じるのを阻止するリンク機構のいずれかを使用した保持機構２２とで排煙口の開閉扉の支持装置７を構成している。【選択図】図６
0003160173.tif 000002
【実用新案登録請求の範囲】
【請求項１】
排煙ダクトの排煙口の開口部に取付けられた、該開口部を開閉する開閉扉を常時開放する方向に付勢する付勢スプリングと、前記開閉扉を閉じた状態に保持し、排煙口開放装置の作動で開放させることができる開閉扉保持装置と、前記開閉扉の開放状態を前記排煙口より排煙ダクト内へ流入する風量に耐えられるように保持する磁石、ラッチ、支点を結ぶ線より外側に中央枢支部を位置させることにより閉じるのを阻止するリンク機構のいずれかを使用した保持機構とからなることを特徴とする排煙口の開閉扉の支持装置。
【請求項２】
開閉扉は排煙口の開口部の中央部を支点に回動して開閉できるもので、該開閉扉の両側部の端部に保持機構が設けられていることを特徴とする請求項１記載の排煙口の開閉扉の支持装置。
【考案の詳細な説明】
【技術分野】
【０００１】  本考案は排煙ダクトの排煙口の開閉扉の支持装置に関する。
【背景技術】
【０００２】  従来、この種の排煙口の開閉扉は排煙口開放装置を作動させることにより開放されるとともに、排煙機が作動して煙を排煙ダクトより外部へ排出している。
このような設備は法令により、
（１）      排煙口は１区画２倍の風量に耐えられるもの
（２）      排煙機は全区画の２倍の風量があるものである
と決められている。
このため、排煙口の開閉扉を開放し、排煙機を作動させると、全区画の２倍の風量が排煙口へ入り込む状態となるため、開閉扉が流れ込む風量によって閉じてしまうという欠点があった。
この欠点を解消するために開閉扉にダンパーを取付け、開放した開閉扉が閉じるのを防止することが考えられている。
しかしながら、このようなダンパーを用いる場合、ダンパーが高く、コスト高になるという欠点があるとともに、風量が増大するにしたがって開閉扉に微振動が生じ、この微振動が次第に増幅されて大きな揺れとなり、開閉扉が閉じてしまうということがあった。
【先行技術文献】
【特許文献】
【０００３】
【特許文献１】  特開平１０−１５４４１４
【考案の概要】
【考案が解決しようとする課題】
【０００４】  本考案は以上のような従来の欠点に鑑み、安価に、排煙口の開閉扉が排煙口へ流れ込む風量によって、開閉扉が閉じるのを確実に阻止することができるとともに、排煙口へ流れ込む風量によって、開閉扉に振動が生じるのを効率よく阻止して、開閉扉が閉じる不具合を防止することができる排煙口の開閉扉の支持装置を提供することを目的としている。【０００５】  本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００６】  上記目的を達成するために、本考案は排煙ダクトの排煙口の開口部に取付けられた、該開口部を開閉する開閉扉を常時開放する方向に付勢する付勢スプリングと、前記開閉扉を閉じた状態に保持し、排煙口開放装置の作動で開放させることができる開閉扉保持装置と、前記開閉扉の開放状態を前記排煙口より排煙ダクト内へ流入する風量に耐えられるように保持する磁石、ラッチ、支点を結ぶ線より外側に中央枢支部を位置させることにより閉じるのを阻止するリンク機構のいずれかを使用した保持機構とで排煙口の開閉扉の支持装置を構成している。
【考案の効果】
【０００７】  以上の説明から明らかなように、本考案にあっては次に列挙する効果が得られる。【０００８】（１）請求項１により、開閉扉の開放時に開閉扉の開放状態を保持機構で保持することができる。
したがって、排煙口より排気ダクト内へ全区画の２倍の風量が流れ込んでも、従来のように開閉扉が振動したり、閉じた状態になったりするのを効率よく防止することができる。【０００９】（２）前記（１）によって、保持機構は磁石、ラッチ、支点を結ぶ線より外側に中央枢支部を位置させることにより、閉じるのを阻止するリンク機構のいずれかであるので、従来のダンパーを用いるものに比べ、安価で、コストの低減を図ることができる。【００１０】（３）請求項２は前記（１）、（２）と同様な効果が得られるとともに、開閉扉の両端部に保持機構を設置しているので、排煙口内へ空気が流れ込んでも開閉扉の振動を従来の開閉扉の中央部に取付けられるダンパーと比べて、著しく低減させることができる。
【図面の簡単な説明】
【００１１】
【図１】本考案を実施するための第１の形態の使用状態の説明図。
【図２】図１の２−２線に沿う断面図。
【図３】本考案を実施するための第１の形態の正面図。
【図４】図３の４−４線に沿う断面図。
【図５】図３の５−５線に沿う断面図。
【図６】本考案を実施するための第１の形態の開閉扉を開放した状態の説明図。
【図７】本考案を実施するための第２の形態の正面図。
【図８】図７の８−８線に沿う断面図。
【図９】図７の９−９線に沿う断面図。
【図１０】本考案を実施するための第２の形態の開閉扉を開放した状態の説明図。
【図１１】本考案を実施するための第３の形態の正面図。
【図１２】図１１の１２−１２線に沿う断面図。
【図１３】図１１の１３−１３線に沿う断面図。
【図１４】本考案を実施するための第３の形態の開閉扉を開放した状態の説明図。
【考案を実施するための形態】
【００１２】  以下、図面に示す本考案を実施するための形態により、本考案を詳細に説明する。
【００１３】  図１ないし図６に示す本考案を実施するための第１の形態において、１は各区画２で発生した煙を外部へ排出する排煙装置で、この排煙装置１は各区画２にそれぞれ設けられた開閉扉３を備えた排煙口４と、この排煙口４に接続された排煙ダクト５と、この排煙ダクト５に接続された各区画２の２倍の風量を吸い込むことができる排煙機６と、前記排煙口の開閉扉の支持装置７とで構成されている。
【００１４】  前記排煙口の開閉扉の支持装置７は、該排煙口４を構成する長方形状の筒部材８の先端部にフランジ９を形成した排煙口部材１０と、この排煙口部材１０の開口側の中央両側部に枢支ピン１１、１１が位置するように固定された開閉扉支持金具１２、１２と、この開閉扉支持金具１２、１２の枢支ピン１１、１１に回動可能に中央部の枢支孔１３、１３が支持された、前記排煙口部材１０の口部を開閉可能に覆う開閉扉３と、この開閉扉３を常時開放方向に付勢する前記枢支ピン１１、１１部に取付けられた付勢スプリング１４、１４と、前記開閉扉３の背面中央上部に固定されたコ字状の係止片１５、前記開閉扉３の閉じた状態で、前記係止片１５を係止する前記各区画２に設けられた排煙口開放装置１６の操作で開閉扉３を開放する電磁ソレノイド１７を用いた開閉扉保持装置１８と、前記開閉扉３の開放状態を前記排煙口４より排煙ダクト５内へ全区画２の２倍の風量が流れ込んでも、該流れ込む風量に耐えられるように保持する、該開閉扉３の両端部の背面に固定された磁石１９、１９および、該開閉扉３を全開状態に開放した時に該磁石１９、１９と吸着状態で当接する磁石２０、２０を備えた、前記排煙口部材１０の側面に固定された磁石支持金具２１、２１とからなる保持機構２２とで構成されている。
【００１５】  なお、排煙口開放装置１６は、該排煙口開放装置１６の操作釦２３を押すと、前記開閉扉保持装置１８の電磁ソレノイド１７が作動し、係止片１５との係止が解除され、付勢スプリング１４、１４で付勢されていた開閉扉３を付勢スプリング１４、１４の付勢力で自動的に開放し、全開になったところで保持機構２２の磁石１９、１９と磁石２０、２０とが吸着固定されるとともに、前記排煙機６が駆動して開口した排煙口４より区画２の空気を排煙ダクト５内へ吸引される。
【００１６】  上記構成の排煙装置１の開閉扉３は付勢スプリング１４、１４の付勢力に抗して、排煙口４を閉じた状態で開閉扉保持装置１８によって保持されている。
区画２で煙が発生した場合、排煙口開放装置１６の操作釦２３を押すと、開閉扉保持装置１８の電磁ソレノイド１７が作動して、係止片１５との係止状態が解除されるため、開閉扉３は付勢スプリング１４、１４の付勢力で開放方向に回動し、全開状態で保持機構２２の磁石１９、１９と磁石２０、２０が吸着固定して、全開状態を保持する。
一方、操作釦２３が押されることにより、排煙機６が駆動して、開閉扉３が開放状態になった排煙口４より区画２の空気を排気ダクト５内へ吸引し、外部へ排出する。
この時、１個所の開閉扉３が開放状態となって、排煙機６で全区画２の２倍の風量が吸引されたとしても、保持機構２２によって開閉扉３が振動したり、閉じたりする不具合を効率よく阻止することができる。
開閉扉３を閉じる場合、開閉扉３を閉じ方向に付勢スプリング１４、１４の付勢力と保持機構２２の磁石１９、１９と磁石２０、２０の吸着力よりも大きい力で押し付けて回動させ、係止片１５を電磁ソレノイド１７のロッド１７ａと係止させることにより、開閉扉３を閉状態に保持することができる。
【考案を実施するための異なる形態】
【００１７】  次に、図７ないし図１４に示す本考案を実施するための異なる形態につき説明する。なお、これらの本考案を実施するための異なる形態の説明に当って、前記本考案を実施するための第１の形態と同一構成部分には同一符号を付して重複する説明を省略する。
【００１８】  図７ないし図１０に示す本考案を実施するための第２の形態において、前記本考案を実施するための第１の形態と主に異なる点は保持機構２２Ａで、この保持機構２２Ａは開閉扉３の両端部に固定された円錐台形状の係合部２４が形成された係合片２５、２５と、この係合片２５、２５の係合部２４、２４と着脱可能に係合するように支持金具２１、２１に取付けられた、常時収縮方向にスプリング２６で付勢された係合部材２７、２７とからなるラッチ２８、２８で構成されている。このようなラッチ２８、２８を使用した保持機構２２Ａを用いて構成した排煙口の開閉扉の支持装置７Ａにしても、前記本考案を実施するための第１の形態と同様な作用効果が得られる。
【００１９】  図１１ないし図１４に示す本考案を実施するための第３の形態において、前記本考案を実施するための第１の形態と主に異なる点は保持機構２２Ｂで、この保持機構２２Ｂは一端が開閉扉３の開口端部の両側背面に枢支ピン２９、２９で枢支され、他端部が排煙口部材１０の開口側の両側面に枢支ピン３０、３０で枢支され、かつ中央部が開閉扉３の閉じた状態では内部に折り曲がり、開閉扉３が開放状態では開閉扉側の枢支ピン２９、２９と排煙口部材側の枢支ピン３０、３０とを結ぶ線上より外方へ位置する状態で固定されるように枢支ピン３１、３１で枢支されたリンク本体３２、このリンク本体３２の枢支ピン２９、３０、３１および２９、３０、３１部分に取付けられた、該リンク本体３２、３２を外方へ位置させるように付勢する付勢スプリング３３、３３、３３とからなるリンク機構３４、３４で構成されている。このようなリンク機構３４、３４を使用した保持機構２２Ｂを用いた排煙口の開閉扉の支持装置７Ｂにしても、前記本考案を実施するための第１の形態と同様な作用効果が得られる。
なお、リンク機構３４、３４の付勢スプリング３３、３３、３３はリンク本体３２、３２が伸長した開閉扉３の開放時に、該開閉扉３が振動してもリンク本体３２、３２の中央部の枢支ピン３１、３１の位置が、両端部の枢支ピン２９、３０間を結ぶ線上より外方に位置することができれば、付勢スプリングを１個、あるいは２個用いてもよい。
【産業上の利用可能性】
【００２０】  本考案は排煙口の開閉扉の支持装置を製造する産業で利用される。
【符号の説明】
【００２１】１：排煙装置、                  ２：各区画、
３：開閉扉、                    ４：排煙口、
５：排気ダクト、                ６：排煙機、
７、７Ａ、７Ｂ：排煙口の開閉扉の支持装置、
８：筒部材、                    ９：フランジ、
１０：排煙口部材、              １１：枢支ピン、
１２：開閉扉支持金具、          １３：枢支孔、
１４：付勢スプリング、          １５：係止片、
１６：排煙口開放装置、          １７：電磁ソレノイド、
１８：開閉扉保持装置、          １９：磁石、
２０：磁石、                    ２１：磁石支持金具、
２２、２２Ａ、２２Ｂ：保持機構、
２３：操作釦、                  ２４：係合部、
２５：係合片、                  ２６：スプリング、
２７：係合部材、                ２８：ラッチ、
２９：枢支ピン、                ３０：枢支ピン、
３１：枢支ピン、                ３２：リンク本体、
３３：付勢スプリング、          ３４：リンク機構。
【図１】
0003160173.tif 000003
【図２】
0003160173.tif 000004
【図３】
0003160173.tif 000005
【図４】
0003160173.tif 000006
【図５】
0003160173.tif 000007
【図６】
0003160173.tif 000008
【図７】
0003160173.tif 000009
【図８】
0003160173.tif 000010
【図９】
0003160173.tif 000011
【図１０】
0003160173.tif 000012
【図１１】
0003160173.tif 000013
【図１２】
0003160173.tif 000014
【図１３】
0003160173.tif 000015
【図１４】
0003160173.tif 000016